(57)【要約】【課題】本発明は、一のキー部材を押下することで、第１スイッチと、複数の第２スイッチにおける所定の第２スイッチとを動作させることが可能な携帯電子機器を提供することを目的とする。【解決手段】携帯電話機１は、キースイッチ５０１から５１５と、キースイッチ５０１から５１５の周囲に配置される複数の平面スイッチ５０１Ａから５１５Ｄと、キースイッチ５０１から５１５における動作、及び複数の平面スイッチ５０１Ａから５１５Ｄそれぞれにおける動作を検出する検出部１２１と、検出部１２１によりキースイッチ５０１から５１５における動作が検出された場合、検出部１２１により複数の平面スイッチ５０１Ａから５１５Ｄそれぞれにおける動作が検出されているかを確認すると共に、動作部に対して確認された複数の平面スイッチ５０１Ａから５１５Ｄの動作に対応した制御を行う制御部１２２と、を備える。【選択図】図５
2011134073.tif 000002
【特許請求の範囲】
【請求項１】
筐体と、
前記筐体に収容され、第１スイッチと、前記第１スイッチの周囲に配置される複数の第２スイッチとを有する回路基板と、
前記筐体における表面側に配置される押下部と、
前記押下部に対応した前記筐体の内面側に前記第１スイッチと対向して配置され、前記押下部が押下されたことにより移動して前記第１スイッチを動作させる第１凸部と、
前記押下部に対応した前記筐体の内面側に前記複数の第２スイッチそれぞれに対向して配置され、前記押下部が押下されたことにより移動して前記複数の第２スイッチそれぞれを動作させる複数の第２凸部と、
前記第１スイッチにおける動作、及び前記複数の第２スイッチそれぞれにおける動作を検出する検出部と、
所定の動作を行う動作部と、
前記検出部により前記第１スイッチにおける動作が検出された場合、前記検出部により前記複数の第２スイッチそれぞれにおける動作が検出されているかを確認すると共に、前記動作部に対して前記確認された前記第２スイッチの動作に対応した制御を行う制御部と、を備える
携帯機器。
【請求項２】
前記複数の第２スイッチそれぞれは、
前記押下部が押下されていない場合、前記複数の第２凸部それぞれと空隙を有して対向して配置され、
前記押下部が押下されている場合、前記複数の第２凸部それぞれと接触して配置される
請求項１に記載の携帯機器。
【請求項３】
前記複数の第２凸部それぞれは、導電性を有する先端部を有し、
前記第１スイッチは、ドームスイッチであり、
前記複数の第２スイッチそれぞれは、第１導電領域と当該第１導電領域とは異なる第２導電領域とを有し、前記第１導電領域と前記第２導電領域とが前記先端部によって導通されることにより動作する平面スイッチである
請求項２に記載の携帯機器。
【請求項４】
前記第１スイッチの動作の情報を含む第１暗証情報と、当該第１スイッチに対応して検出される前記第２スイッチの組み合わせを含む第２暗証情報とを記憶する暗証情報記憶部と、
前記検出部により前記第１スイッチ及び前記第２スイッチの動作情報を受信すると共に、前記受信した動作情報と前記暗証情報記憶部に記憶された前記第１暗証情報及び前記第２暗証情報とに基づいて認証を行う認証部と、を備える
請求項１から３のいずれかに記載の携帯機器。
【請求項５】
複数の押下部と当該押下部それぞれに対応した複数の第１スイッチと、を備え、
前記第１暗証情報は、前記第１スイッチのうち複数の所定の第１スイッチの組み合わせ及び動作が検出される順序の情報を有し、
前記第２暗証情報は、前記複数の所定の第１スイッチそれぞれに対応して検出される前記第２スイッチの組み合わせの情報を有する
請求項４に記載の携帯機器。
【請求項６】
前記複数の押下部における複数の所定の前記押下部を押下させることで、所定の押下部に対応した第１スイッチ及び第２スイッチからの動作情報に基づいて前記第１暗証情報及び前記第２暗証情報を生成すると共に、前記生成した前記第１暗証情報及び前記第２暗証情報を前記暗証情報記憶部に記憶させる暗証情報生成部を更に備える
請求項５に記載の携帯機器。
【請求項７】
前記第２凸部の先端部は、所定方向に長い形状であって、長手方向が前記第１導電領域と前記第２導電領域とが並ぶ方向に沿って配置される
請求項３に記載の携帯機器。
【請求項８】
前記筐体の外郭を構成し、開口部を有するケース部材と、を備え、
前記押下部は、前記開口部を介して外部に露出して配置され、
前記複数の第２凸部は、可撓性を有し、前記押下部が押下された場合に該押下部が前記ケース部材の内部に潜り込むことを防止するための部材である
請求項１から７のいずれかに記載の携帯機器。
【発明の詳細な説明】
【技術分野】
【０００１】
本発明は、携帯電話機等の携帯機器に関する。
【背景技術】
【０００２】
従来、携帯機器としての携帯電話機において、複数のキーが設けられている。複数のキーそれぞれは、キー部材と、キー部材に対応して配置されるスイッチとを有する。スイッチは、キー部材が押下されることで動作する。キー（スイッチ）には、例えば、数字入力や、所定の機能を動作させることがアサインされている。
【０００３】
ここで、近年、方向の入力のための方向キーを備える携帯電子機器が提案されている（例えば、特許文献１）。
【先行技術文献】
【特許文献】
【０００４】
【特許文献１】特開２００９−１２３６３２号公報
【発明の概要】
【発明が解決しようとする課題】
【０００５】
しかし、特許文献１の携帯電子機器における方向キーは、上下左右方向への入力を行う場合、その都度各方向がアサインされたキーを押し直さなければならず、ユーザにおける操作性が悪いという問題があった。
【０００６】
本発明は、キー部材と、キー部材に対応して配置される第１スイッチ及び第１スイッチを囲む複数の第２スイッチとを有し、一のキー部材を押下することで、第１スイッチと、複数の第２スイッチにおける所定の第２スイッチとを動作させることが可能な携帯電子機器を提供することを目的とする。
【課題を解決するための手段】
【０００７】
本発明は、筐体と、前記筐体に収容され、第１スイッチと、前記第１スイッチの周囲に配置される複数の第２スイッチとを有する回路基板と、前記筐体における表面側に配置される押下部と、前記押下部に対応した前記筐体の内面側に前記第１スイッチと対向して配置され、前記押下部が押下されたことにより移動して前記第１スイッチを動作させる第１凸部と、前記押下部に対応した前記筐体の内面側に前記複数の第２スイッチそれぞれに対向して配置され、前記押下部が押下されたことにより移動して前記複数の第２スイッチそれぞれを動作させる複数の第２凸部と、前記第１スイッチにおける動作、及び前記複数の第２スイッチそれぞれにおける動作を検出する検出部と、所定の動作を行う動作部と、前記検出部により前記第１スイッチにおける動作が検出された場合、前記検出部により前記複数の第２スイッチそれぞれにおける動作が検出されているかを確認すると共に、前記動作部に対して前記確認された前記第２スイッチの動作に対応した制御を行う制御部と、を備える携帯機器に関する。
【０００８】
また、前記複数の第２スイッチそれぞれは、前記押下部が押下されていない場合、前記複数の第２凸部それぞれと空隙を有して対向して配置され、前記押下部が押下されている場合、前記複数の第２凸部それぞれと接触して配置されることが好ましい。
【０００９】
また、前記複数の第２凸部それぞれは、導電性を有する先端部を有し、前記第１スイッチは、ドームスイッチであり、前記複数の第２スイッチそれぞれは、第１導電領域と当該第１導電領域とは異なる第２導電領域とを有し、前記第１導電領域と前記第２導電領域とが前記先端部によって導通されることにより動作する平面スイッチであることが好ましい。
【００１０】
また、前記第１スイッチの動作の情報を含む第１暗証情報と、当該第１スイッチに対応して検出される前記第２スイッチの組み合わせを含む第２暗証情報とを記憶する暗証情報記憶部と、前記検出部により前記第１スイッチ及び前記第２スイッチの動作情報を受信すると共に、前記受信した動作情報と前記暗証情報記憶部に記憶された前記第１暗証情報及び前記第２暗証情報とに基づいて認証を行う認証部と、を備えることが好ましい。
【００１１】
また、複数の押下部と当該押下部それぞれに対応した複数の第１スイッチと、を備え、前記第１暗証情報は、前記第１スイッチのうち複数の所定の第１スイッチの組み合わせ及び動作が検出される順序の情報を有し、前記第２暗証情報は、前記複数の所定の第１スイッチそれぞれに対応して検出される前記第２スイッチの組み合わせの情報を有することが好ましい。
【００１２】
また、前記複数の押下部における複数の所定の前記押下部を押下させることで、所定の押下部に対応した第１スイッチ及び第２スイッチからの動作情報に基づいて前記第１暗証情報及び前記第２暗証情報を生成すると共に、前記生成した前記第１暗証情報及び前記第２暗証情報を前記暗証情報記憶部に記憶させる暗証情報生成部を更に備えることが好ましい。
【００１３】
また、前記第２凸部の先端部は、所定方向に長い形状であって、長手方向が前記第１導電領域と前記第２導電領域とが並ぶ方向に沿って配置されることが好ましい。
【００１４】
また、前記筐体の外郭を構成し、開口部を有するケース部材と、を備え、前記押下部は、前記開口部を介して外部に露出して配置され、前記複数の第２凸部は、可撓性を有し、前記押下部が押下された場合に該押下部が前記ケース部材の内部に潜り込むことを防止するための部材であることが好ましい。
【発明の効果】
【００１５】
本発明によれば、キー部材と、キー部材に対応して配置される第１スイッチ及び第１スイッチを囲む複数の第２スイッチとを有し、一のキー部材を押下することで、第１スイッチと、複数の第２スイッチにおける所定の第２スイッチとを動作させることが可能な携帯電子機器を提供することができる。
【図面の簡単な説明】
【００１６】
【図１】携帯電話機１を開いた状態における外観斜視図である。
【図２】操作部側筐体２に内蔵される部材の分解斜視図である。
【図３】表示部側筐体３に内蔵される部材の分解斜視図である。
【図４】キースイッチ（第１スイッチ）及び平面スイッチ（第２スイッチ）と、第１凸部及び第２凸部との位置関係を説明する斜視図である。
【図５】キースイッチ（第１スイッチ）及び平面スイッチ（第２スイッチ）と、第１凸部及び第２凸部との位置関係を説明する平面図である。
【図６Ａ】キースイッチ（第１スイッチ）及び平面スイッチ（第２スイッチ）と、第１凸部及び第２凸部との位置関係を説明する断面図である。
【図６Ｂ】キースイッチ（第１スイッチ）及び平面スイッチ（第２スイッチ）と、第１凸部及び第２凸部との位置関係を説明する断面図である。
【図６Ｃ】キースイッチ（第１スイッチ）及び平面スイッチ（第２スイッチ）と、第１凸部及び第２凸部との位置関係を説明する断面図である。
【図７Ａ】平面スイッチ（第２スイッチ）と、第２凸部との位置関係を説明する模式図である。
【図７Ｂ】平面スイッチ（第２スイッチ）と、第２凸部との位置関係を説明する模式図である。
【図８】携帯電話機１における機能ブロック図である。
【図９】暗証情報テーブル１５０を説明する図である。
【図１０】携帯電話機１における動作例を説明するためのフロー図である。
【図１１Ａ】平面スイッチ（第２スイッチ）における変形例を示す摸式図である。
【図１１Ｂ】平面スイッチ（第２スイッチ）における変形例を示す摸式図である。
【発明を実施するための形態】
【００１７】
以下、図面を参照して本発明を実施するための最良の形態を説明する。
図１により、携帯機器としての携帯電話機１における基本構造を説明する。図１は、携帯電話機１を開いた状態における外観斜視図を示す。
【００１８】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１９】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００２０】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が所定の動作部により実行される。各キーにおける構成については、後述する。
【００２１】
音声入力部１２は、操作部側筐体２の長手方向における連結部４側と反対の外端部側に配置される。つまり、音声入力部１２は、携帯電話機１が開状態において一方の外端部側に配置される。
【００２２】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２３】
表示部側筐体３は、外面がフロントパネル３ａと、フロントケース３ｂと、リアケース３ｃ（図３参照）と、リアパネル３ｄ（図３参照）とにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２４】
次いで、図２から図７Ｂにより、操作部側筐体２及び表示部側筐体３の内部構造について説明する。図２は、操作部側筐体２に内蔵される部材の分解斜視図である。図３は、表示部側筐体３に内蔵される部材の分解斜視図である。図４は、キースイッチ（第１スイッチ）及び平面スイッチ（第２スイッチ）と、第１凸部及び第２凸部との位置関係を説明する斜視図である。図５は、キースイッチ（第１スイッチ）及び平面スイッチ（第２スイッチ）と、第１凸部及び第２凸部との位置関係を説明する平面図である。図６Ａは、キースイッチ（第１スイッチ）及び平面スイッチ（第２スイッチ）と、第１凸部及び第２凸部との位置関係を説明する断面図である。図６Ｂは、キースイッチ（第１スイッチ）及び平面スイッチ（第２スイッチ）と、第１凸部及び第２凸部との位置関係を説明する断面図である。図６Ｃは、キースイッチ（第１スイッチ）及び平面スイッチ（第２スイッチ）と、第１凸部及び第２凸部との位置関係を説明する断面図である。図７Ａは、平面スイッチ（第２スイッチ）と、第２凸部との位置関係を説明する模式図である。図７Ｂは、平面スイッチ（第２スイッチ）と、第２凸部との位置関係を説明する模式図である。
【００２５】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備えるメイン回路基板７０と、アンテナ部９０と、バッテリリッド２ｃを備えたリアケース２ｂと、バッテリ８０とを備える。
【００２６】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、メイン回路基板７０と、アンテナ部９０とが挟まれるようにして内蔵される。
【００２７】
フロントケース２ａには、携帯電話機１を折り畳んだ状態で表示部側筐体３の表示部２１と対向する内側面に、キー開口部１３ａ、キー開口部１４ａ、キー開口部１５ａが形成される。
【００２８】
キー構造部４０は、操作部材４０Ａと、キーフレーム４０Ｂと、キーシート４０Ｃと、により構成される。
【００２９】
操作部材４０Ａは、複数のキー操作部材により構成される。具体的には、本実施形態において、操作部材４０Ａは、４個の機能設定操作キー部材１３ｂと、入力操作キー部材２０１から２１５と、１個の決定操作キー部材１５ｂとにより構成される。
【００３０】
機能設定操作キー部材１３ｂは、押圧面１０３がキー開口部１３ａを介して外部に露出するよう操作部側筐体２の内部に配設される。また、機能設定操作キー部材１３ｂは、後述するキースイッチ５１を押圧しない通常位置と、通常位置よりも操作部側筐体２における内部側であってキースイッチ５１を押圧する押圧位置とに移動可能に構成される。
【００３１】
複数の入力操作キー部材２０１から２１５それぞれは、押圧面２０１ａから２１５ａ（押下部）それぞれがキー開口部１４ａを介して外部（表面）に露出するよう操作部側筐体２の内部に配設される。また、入力操作キー部材２０１から２１５それぞれは、後述するキースイッチ（第１スイッチ）５０１から５１５それぞれを押圧しない通常位置と、通常位置よりも操作部側筐体２における内部側であってキースイッチ５０１から５１５それぞれを押圧する押圧位置とに移動可能に構成される。
【００３２】
決定操作キー部材１５ｂは、押圧面１０５がキー開口部１５ａを介して外部に露出するよう操作部側筐体２の内部に配設される。また、決定操作キー部材１５ｂは、後述するキースイッチ５３を押圧しない通常位置と、通常位置よりも操作部側筐体２における内部側であってキースイッチ５３を押圧する押圧位置とに移動可能に構成される。
【００３３】
キーフレーム４０Ｂは、複数の入力操作キー部材２０１から２１５とキーシートとの間に配置される。
キーフレーム４０Ｂは、複数のキースイッチ５０１から５１５それぞれに対応する位置に形成される複数の孔部３０１から３１５と、複数の孔部３０１から３１５を囲むように形成され複数の入力操作キー部材２０１から２１５を支持する支持部１４ｅと、を有する。キーフレーム４０Ｂは、金属性の板状部材である。
【００３４】
キーフレーム４０Ｂは、入力操作キー部材２０１から２１５の押圧によるメイン回路基板７０等への悪影響を防ぐための補強部材である。また、キーフレーム４０Ｂは、導電性の部材であり、入力操作キー部材１４ｂにおける静電気を逃がすための部材としても機能する。
【００３５】
キーシート４０Ｃは、複数の入力操作キー部材２０１から２１５における押圧面２０１ａから２１５ａ（押下部）と反対の面側に配置される。キーシート４０Ｃは、複数の入力操作キー部材２０１から２１５よりも操作部側筐体２における内部側に配置される。
キーシート４０Ｃは、可撓性を有するシリコンゴム製のシート状部材である。キーシート４０Ｃには、上述の通り、複数の上面側凸部４０１から４１５が形成される。複数の上面側凸部４０１から４１５は、キーシート４０Ｃにおけるキーフレーム４０Ｂが配置される側の面に形成される。
複数の上面側凸部４０１から４１５それぞれは、後述するキースイッチ５０１から５１５に対応する位置に形成されると共に、キーフレーム４０Ｂに形成される複数の孔部３０１から３１５に挿通して配置される。複数の上面側凸部４０１から４１５それぞれの表面には、所定の接着剤により入力操作キー部材２０１から２１５が接着される。
【００３６】
図４から図６Ｃに示すように、複数の上面側凸部４０１から４１５における入力操作キー部材２０１から２１５と反対側の面には、複数のキースイッチ（第１スイッチ）５０１から５１５それぞれに対応した位置に凸状の押子である第１凸部６０１から６１５が形成される。
言い換えると、第１凸部６０１から６１５それぞれは、複数の入力操作キー部材２０１から２１５それぞれにおける押圧面（押下部）２０１ａから２１５ａに対応した裏面側（筐体の内部側）に複数のキースイッチ（第１スイッチ）５０１から５１５それぞれと対向して配置される。そして、第１凸部６０１から６１５それぞれは、複数の入力操作キー部材２０１から２１５それぞれにおける押圧面（押下部）２０１ａから２１５ａが押下されたことにより移動して複数のキースイッチ（第１スイッチ）５０１から５１５それぞれを動作させる。
【００３７】
図４から図６Ｃに示すように、複数の上面側凸部４０１から４１５における入力操作キー部材２０１から２１５と反対側の面には、複数の平面スイッチ（第２スイッチ、後述）５０１Ａから５１５Ｃそれぞれに対応した位置に第２凸部６０１Ａから６１５Ｃが形成される。
言い換えると、第２凸部６０１Ａから６１５Ｃそれぞれは、複数の入力操作キー部材２０１から２１５それぞれにおける押圧面（押下部）２０１ａから２１５ａに対応した裏面側（筐体の内部側）に複数の平面スイッチ（第２スイッチ）５０１Ａから５１５Ｃそれぞれと対向して配置される。そして、第２凸部６０１Ａから６１５Ｃそれぞれは、複数の入力操作キー部材２０１から２１５それぞれにおける押圧面（押下部）２０１ａから２１５ａが押下されたことにより移動して複数の平面スイッチ（第２スイッチ）５０１Ａから５１５Ｃそれぞれを動作させる。
【００３８】
図４及び図５に示すように、第２凸部６０１Ａから６１５Ｃそれぞれは、キーシート４０Ｃにおいて、第１凸部６０１から６１５と同じ面側に、第１凸部６０１から６１５それぞれを囲むように形成される。具体的には、第２凸部６０１Ａから６０１Ｄは、第１凸部６０１を囲むように形成される。第２凸部６０２Ａから６０２Ｄは、第１凸部６０２を囲むように形成される。以下同様に、第２凸部は、所定の第１凸部を囲むように形成される。
【００３９】
図６Ａから図７Ｂに示すように、第２凸部６０１Ａから６１５Ｃそれぞれは、細長い凸状の部材である。
第２凸部６０１Ａから６１５Ｃそれぞれは、導電性を有する先端部を有する。第２凸部６０１Ａから６１５Ｃそれぞれは、少なくとも先端部が導電性の材料（例えば、導電性シリコン）により構成される。
第２凸部６０１Ａから６１５Ｃそれぞれは、先端部が第１導電領域と第２導電領域との双方に当接することで、第１導電領域と第２導電領域とを導通させる。
【００４０】
図４、図５、図７Ａ及び図７Ｂに示すように、第２凸部６０１Ａから６１５Ｃそれぞれの先端部は、細長い形状であって、長手方向が後述する平面スイッチ５０１Ａから５１５Ｄそれぞれの第１導電領域（後述）と第２導電領域（後述）とが並ぶ方向に沿って配置される。
ここで、第２凸部６０１Ａから６１５Ｃそれぞれは、長手方向が第１導電領域と第２導電領域とが並ぶ方向に沿って配置されるので、長手方向に位置がずれた場合であっても、短手方向に位置がずれた場合（図７Ｂ参照）であっても、第１導電領域と第２導電領域との導通を確保できる。第２凸部６０１Ａから６１５Ｃそれぞれは、例えば、入力操作キー部材（押圧面、押下部）の押下操作時におけるずれや、組み込み時の交差ずれ等があっても第１導電領域と第２導電領域との導通を確保できる。
【００４１】
図６Ａから図６Ｃに示すように、第２凸部６０１Ａから６１５Ｃそれぞれは、複数の入力操作キー部材２０１から２１５それぞれにおける押圧面（押下部）２０１ａから２１５ａが押下されていない場合（図６Ａ参照）、平面スイッチ（第２スイッチ）５０１Ａから５１５Ｃそれぞれと空隙を有して対向して配置される。そして、第２凸部６０１Ａから６１５Ｃそれぞれは、複数の入力操作キー部材２０１から２１５それぞれにおける押圧面（押下部）２０１ａから２１５ａが押下されている場合（図６Ｂ及び図６Ｃ参照）、平面スイッチ（第２スイッチ）５０１Ａから５１５Ｃそれぞれと接触して配置される。
第２凸部６０１Ａから６１５Ｃそれぞれは、先端部が第１導電領域と第２導電領域との双方に当接することで、第１導電領域と第２導電領域とを導通させる。
【００４２】
ここで、第２凸部６０１Ａから６１５Ｃそれぞれは、入力操作キー部材２０１から２１５が押下られた場合に入力操作キー部材２０１から２１５がフロントケース２ａ（ケース部材）の内部に潜り込むことを防止するための部材（スタビライザー）としても機能する。
【００４３】
キー基板５０（回路基板）は、キーフレーム４０Ｂにおける入力操作キー部材２０１から２１５と反対側に配置される。
キー基板５０は、キーシート４０Ｃ側に実装される複数のスイッチを有する。
【００４４】
キースイッチ５１、キースイッチ（第１スイッチ）５０１から５１５、平面スイッチ５０１Ａから５１５Ｄ、及びキースイッチ５３は、キー基板５０におけるキーシート４０Ｃ側の実装面５０ａに実装（配置）される。
【００４５】
複数のキースイッチ５１、５３それぞれは、キー基板５０における機能設定操作キー部材１３ｂ、決定操作キー部材１５ｂに対応する位置に配置される。また、キースイッチ５１、５３それぞれは、機能設定操作キー部材１３ｂ、決定操作キー部材１５ｂそれぞれが通常位置にある場合には押圧されず、押圧位置にある場合には押圧されるよう配置される。
【００４６】
キー基板５０に配置されるキースイッチ５１、５３は、椀状に湾曲して立体的に形成された金属板のメタルドームを有するドームスイッチである。メタルドームは、その椀状形状の頂点が凸部材（押子）により押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００４７】
図２、図４及び図５に示すように、キー基板５０における入力操作キー部材２０１から２１５に対応する領域には、複数のキースイッチ（第１スイッチ）５０１から５１５と、複数の平面スイッチ（第２スイッチ）５０１Ａから５１５Ｄが実装される。
【００４８】
複数のキースイッチ５０１から５１５それぞれは、キー基板５０における入力操作キー部材２０１から２１５それぞれに対応する位置に配置される。また、複数のキースイッチ５０１から５１５それぞれは、入力操作キー部材２０１から２１５それぞれが通常位置にある場合には押圧されず、押圧位置にある場合には押圧されるよう配置される。
【００４９】
複数のキースイッチ５０１から５１５それぞれは、第１凸部６０１から６１５それぞれに対向した配置される。複数のキースイッチ５０１から５１５それぞれは、複数の入力操作キー部材２０１から２１５それぞれにおける押圧面（押下部）２０１ａから２１５ａが押下されたことにより移動した第１凸部６０１から６１５それぞれに押下されて動作する。
複数のキースイッチ５０１から５１５それぞれは、ドームスイッチである。
【００５０】
図２、図４及び図５に示すように、複数の平面スイッチ（第２スイッチ）５０１Ａから５１５Ｄそれぞれは、キースイッチ（第１スイッチ）５０１から５１５それぞれを囲むように配置される。
具体的には、図４に示すように、平面スイッチ５０１Ａから５０１Ｄは、キースイッチ５０１を囲むように配置される。ここで、他の平面スイッチ５０２Ａから５１５Ｄも同様に、他のキースイッチ５０２から５１５を囲むように配置される。
【００５１】
平面スイッチ（第２スイッチ）５０１Ａから５１５Ｄそれぞれは、第２凸部６０１Ａから６１５Ｄそれぞれに対向して配置される。平面スイッチ５０１Ａから５１５Ｄそれぞれは、入力操作キー部材２０１から２１５それぞれにおける押圧面（押下部）２０１ａから２１５ａのいずれかが押下されたことにより移動した第２凸部６０１Ａから６１５Ｄそれぞれの先端部に当接（接触）されて動作する。
【００５２】
図６Ａから図６Ｃに示すように、平面スイッチ（第２スイッチ）５０１Ａから５１５Ｄそれぞれは、入力操作キー部材２０１から２１５それぞれにおける押圧面（押下部）２０１ａから２１５ａが押下されていない場合、第２凸部６０１Ａから６１５Ｄそれぞれと空隙を有して対向して配置される（図６Ａ参照）。また、平面スイッチ（第２スイッチ）５０１Ａから５１５Ｄそれぞれは、入力操作キー部材２０１から２１５それぞれにおける押圧面（押下部）２０１ａから２１５ａが押下されている場合、第２凸部６０１Ａから６１５Ｄそれぞれと接触して配置される（図６Ｂ及び図６Ｃ参照）。
【００５３】
平面スイッチ（第２スイッチ）５０１Ａから５１５Ｄそれぞれは、第１導電領域と、第２導電領域とを有する。
具体的には、図５及び図７Ａに示すように、平面スイッチ５０１Ａは、第１導電領域５０１Ａａと、第２導電領域５０１Ａｂと、第１導電領域５０１Ａａとを有する。ここで、第１導電領域５０１Ａａと、第２導電領域５０１Ａｂと、第１導電領域５０１Ａａとは、この順序で第２凸部６０１Ａの長手方向に並んで配置される。
平面スイッチ５０１Ｂは、第１導電領域５０１Ｂａと、第２導電領域５０１Ｂｂと、第１導電領域５０１Ｂａとを有する。ここで、第１導電領域５０１Ｂａと、第２導電領域５０１Ｂｂと、第１導電領域５０１Ｂａとは、この順序で第２凸部６０１Ｂの長手方向に並んで配置される。
平面スイッチ５０１Ｃは、第１導電領域５０１Ｃａと、第２導電領域５０１Ｃｂと、第１導電領域５０１Ｃａとを有する。ここで、第１導電領域５０１Ｃａと、第２導電領域５０１Ｃｂと、第１導電領域５０１Ｃａとは、この順序で第２凸部６０１Ｃの長手方向に並んで配置される。
平面スイッチ５０１Ｄは、第１導電領域５０１Ｄａと、第２導電領域５０１Ｄｂと、第１導電領域５０１Ｄａとを有する。ここで、第１導電領域５０１Ｄａと、第２導電領域５０１Ｄｂと、第１導電領域５０１Ｄａとは、この順序で第２凸部６０１Ｄの長手方向に並んで配置される。
ここで、他の平面スイッチ５０２Ａから５１５Ｄにおいても同様の構成である。
【００５４】
平面スイッチ（第２スイッチ）５０１Ａから５１５Ｄそれぞれは、第１導電領域と第２導電領域とが、第２凸部６０１Ａから６１５Ｄそれぞれ（の先端部）により導通されることで動作する。
【００５５】
ここで、図６Ａから図６Ｃにより更に説明すると、まず、図６Ａに示すように、入力操作キー部材２０１における押圧面（押下部）２０１ａが押下されていない場合、キースイッチ５０１は第１凸部６０１により押下されておらず、また、平面スイッチ５０１ＡからＤそれぞれは、第２凸部６０１ＡからＤと離間して配置される。この状態において、キースイッチ５０１、平面スイッチ５０１ＡからＤはいずれも動作していない。
【００５６】
次いで、図６Ｂに示すように、入力操作キー部材２０１における押圧面（押下部）２０１ａが押下された場合（矢印Ｆ方向）、キースイッチ５０１は第１凸部６０１により所定距離だけ押下され、また、平面スイッチ５０１ＡからＤのうち所定の平面スイッチ（図６Ｂにおいて平面スイッチ５０１Ｂ、５０１Ｄ）は、第２凸部６０１ＡからＤのうち所定の第２凸部（図６Ｂにおいて第２凸部６０１Ｂ、６０１Ｄ）により当接される。この状態において、キースイッチ５０１は動作せず、平面スイッチ５０１Ｂ、Ｄは動作する。
ここで、後述する制御部１２２は、キースイッチ（第１スイッチ）５０１の動作が検出された場合に、平面スイッチ５０１（第２スイッチ）Ｂ、Ｄの動作に対応した制御を行うため、この状態において、制御部１２２は、平面スイッチ５０１（第２スイッチ）Ｂ、Ｄの動作に対応した制御を行わない。
【００５７】
続けて、図６Ｃに示すように、入力操作キー部材２０１における押圧面（押下部）２０１ａが更に押下された場合（矢印Ｆ方向）、キースイッチ５０１は第１凸部６０１により所定距離だけ更に押下され、また、平面スイッチ５０１ＡからＤのうち所定の平面スイッチ（図６Ｃにおいて平面スイッチ５０１Ｂ、５０１Ｄ）は、第２凸部６０１ＡからＤのうち所定の第２凸部（図６Ｃにおいて第２凸部６０１Ｂ、６０１Ｄ）により当接した状態で維持される。この状態において、キースイッチ５０１は動作する。
ここで、後述する制御部１２２は、キースイッチ（第１スイッチ）５０１の動作が検出されたので、平面スイッチ５０１（第２スイッチ）Ｂ、Ｄの動作に対応した制御を行うことが可能な状態となる。
制御部１２２については、後に詳述する。
【００５８】
ケース体６０は、薄型の直方体における一の広い面が開口した形状を有する導電性の部材である。ケース体６０は、平板部６１における開口側の面に略垂直に形成されるリブ６２を有する。リブ６２は、メイン回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０がメイン回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００５９】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズがメイン回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００６０】
メイン回路基板７０には、アンテナ１０８が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００６１】
メイン回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、メイン回路基板７０の第１面７０ａの表面に導電性の部材を所定パターンで印刷することで形成される。
【００６２】
アンテナ部９０は、基台上に所定形状のアンテナエレメントが配置されることにより構成さる。アンテナ部９０は、携帯電話機１における連結部４側と反対の端部側に配置される。このアンテナ部９０のアンテナエレメントは、帯状の板金により形成される。また、アンテナ部９０は、不図示の給電端子を介してメイン回路基板７０から給電される。これにより、アンテナエレメントは、給電端子を介してメイン回路基板７０から給電されると共に、メイン回路基板７０のＲＦモジュール等と接続される。
【００６３】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００６４】
図３に示すように、表示部側筐体３は、フロントパネル３ａと、音声出力部２２と、フロントケース３ｂと、音声出力部２２と、表示部２１と、表示部２１が接続されたプリント基板８５と、リアケース３ｃと、リアパネル３ｄと、を備える。
【００６５】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００６６】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００６７】
続けて、図８により、メイン携帯電話機１の構成について説明する。図８は、携帯電話機１における機能ブロック図である。図９は、暗証情報テーブル１５０を説明する図である。
図８に示すように、携帯電話機１は、無線通信部２００と、操作部１１１と、表示部２１と、メモリ４４と、ＣＰＵ４５とを備える。
【００６８】
無線通信部１００は、アンテナ部９０と、通信処理部１０１と、を備える。
無線通信部１００は、所定の情報を外部に送受信可能に構成される。無線通信部１００は、所定の情報を所定の通信網を介して外部に送信することができる。
【００６９】
アンテナ部９０は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等）に基づいて、基地局を介して他の通信端末装置との間で、電話による通信やメールによる通信等を行う。
【００７０】
通信処理部１０１は、送信処理を行う送信回路と受信処理を行う受信回路とにより構成される。通信処理部１０１は、アンテナ部９０によって受信した信号を受信回路により復調処理し、処理後の信号をＣＰＵ４５に供給する。また、通信処理部１０１は、ＣＰＵ４５から供給された信号を送信回路により変調処理し、アンテナ部９０を介して基地局に送信する。
【００７１】
操作部１１１は、キースイッチ（第１スイッチ）５０１から５１５と、平面スイッチ（第２スイッチ）５０１Ａから５１５Ｄとを含む。
キースイッチ５０１から５１５それぞれは、入力操作キー部材２０１から２１５それぞれが押下されたことにより動作され、所定の信号を後述する検出部１２１に出力する。
また、平面スイッチ５０１Ａから５１５Ｄそれぞれは、入力操作キー部材２０１から２１５それぞれが押下されたことにより動作され、所定の信号を後述する検出部１２１に出力する。
【００７２】
表示部２１は、所定の文字や画像を表示する。
表示部２１は、後述する方向認識部１２６からの情報に基づいて、上下左右方向に表示画像をスクロールする。
具体的には、ユーザが所定の入力操作キー部材に指を置いて押下した状態で、該入力操作キー部材に置いた指を傾けたり、強く押す位置を変えたりして、動作される平面スイッチを変更させることで、方向認識部１２６にユーザが所望する方向を認識させることができる。そして、表示部２１は、方向認識部１２６からの情報に基づいて、ユーザが意図する方向に表示画像をスクロールする。
【００７３】
ＣＰＵ４５は、携帯電話機１の全体を制御する。ＣＰＵ４５は、各種機能部を有する。ＣＰＵ４５は、検出部１２１と、制御部１２２と、暗証情報生成部１２３と、認証部１２４と、方向認識部１２６とを有する。
【００７４】
検出部１２１は、キースイッチ５０１から５１５それぞれにおける動作、及び平面スイッチ５０１Ａから５１５Ｄそれぞれにおける動作を検出する。具体的には、検出部１２１は、キースイッチ５０１から５１５それぞれから出力される所定の信号、及び平面スイッチ５０１Ａから５１５Ｄそれぞれから出力される所定の信号を検出する。
検出部１２１は、キースイッチ５０１から５１５それぞれにおける動作を検出した場合、第１検出信号を制御部１２２に出力する。また、検出部１２１は、平面スイッチ５０１Ａから５１５Ｄそれぞれにおける動作を検出した場合、第２検出信号を制御部１２２に出力する。
【００７５】
制御部１２２は、所定の動作部を制御する。ここで、動作部は、表示部２１や音声出力部等の外部から認識可能な動作を行うものだけでなく、通信処理部１０１や所定の機能部等を含むものである。
制御部１２２は、検出部１２１によりキースイッチ５０１から５１５それぞれにおける動作が検出された場合、検出部１２１により平面スイッチ５０１Ａから５１５Ｄそれぞれにおける動作が検出されているかを確認する。つまり、制御部１２２は、検出部１２１から第１検出信号を受信した後、第２検出信号の受信を開始する。そして、制御部１２２は、所定の動作部に対して確認された平面スイッチ５０１Ａから５１５Ｄそれぞれの動作に対応した制御を行う。
【００７６】
暗証情報生成部１２３は、暗証情報（例えば、暗証番号）を生成する。同じ入力操作部材（押圧面、押下部）を押下することで得られるキースイッチの動作情報及び平面スイッチの動作情報を認証に利用することを可能にする機能部である。
具体的には、暗証情報生成部１２３は、入力操作キー部材（押圧面）２０１から２１５における複数の所定の入力操作キー部材（押圧面）を押下させることで、所定の入力操作キー部材（押圧面）に対応したキースイッチ（第１スイッチ）及び平面スイッチ（第２スイッチ）から出力される動作情報に基づいて、後述する第１暗証情報及び第２暗証情報を生成する。
【００７７】
暗証情報生成部１２３によれば、ユーザが入力操作部材（押圧面）のどの位置を押下するかというユーザの癖を含んだ暗証情報（第２暗証情報）を生成することができる。そして、暗証情報生成部１２３は、生成した第１暗証情報及び第２暗証情報を後述するメモリ（暗証情報記憶部）４４に記憶させる。
【００７８】
認証部１２４は、検出部１２１からのキースイッチ５０１から５１５及び平面スイッチ５０１Ａから５１５Ｄの動作情報を受信すると共に、受信した動作情報と後述するメモリ（暗証情報記憶部）４４に記憶された第１暗証情報及び第２暗証情報とに基づいて認証を行う。
【００７９】
具体的には、認証部１２４は、所定の認証を得るための暗証情報（例えば、暗証番号）の入力を受け付ける暗証情報入力モードにおいて、ユーザが、複数の所定の入力操作部材（押圧面）を押下して入力された入力情報と、メモリ４４に記憶される暗証情報テーブル１５０に含まれる暗証情報（第１暗証情報及び第２暗証情報）とを比較する。そして、認証部１２４は、入力情報と暗証情報（第１暗証情報及び第２暗証情報）とが同じである場合には、所定の認証を行う。
例えば、認証部１２４は、所定の機能部が動作を開始することに対して認証を行う。
【００８０】
方向認識部１２６は、制御部１２２から出力される第２検出信号に基づいて、方向情報を生成する。
方向認識部１２６は、ユーザが所定の入力操作キー部材に指を置いて押下した状態で、該入力操作キー部材に置いた指を傾けたり、強く押す位置を変えたりして、動作される平面スイッチを変更させることで出力される第２検出信号に基づいて、ユーザが所望する方向及び方向の変化を認識する。そして、方向認識部１２６は、受信した第２検出信号に基づいて、方向情報を生成する。
また、方向認識部１２６は、生成した方向情報を表示部２１等に出力する。
【００８１】
メモリ４４は、所定のデータを記憶する。具体的には、メモリ４４は、各種機能を動作させるアプリケーションプログラムや、各種データを記憶する。
また、メモリ４４（暗証情報記憶部）は、暗証情報テーブル１５０を記憶する。
【００８２】
図９に示すように、暗証情報テーブル１５０は、第１暗証情報１５０Ａと、第２暗証情報１５０Ｂとを含む。
第１暗証情報１５０Ａは、複数のキースイッチ５０１から５１５（第１スイッチ）のうち複数の所定のキースイッチ（図９においては、キースイッチ５０５、５０６、５１１、５１２）の組み合わせ及び、動作が検出される順序に関する情報を含む。
ここで、ユーザは、第１暗証情報１５０Ａを所定のキースイッチにアサインされた数字（第１暗証情報１５０Ａにおける括弧内の数字）により、暗証番号として記憶する。
【００８３】
第２暗証情報１５０Ｂは、複数の所定のキースイッチ（第１スイッチ）それぞれに対応して検出される平面スイッチ（第２スイッチ）の組み合わせの情報を含む。
第２暗証情報１５０Ｂは、所定にキースイッチ（第１スイッチ）ごとに対応する平面スイッチ（第２スイッチ）の情報を含む。
第２暗証情報１５０Ｂは、言い換えると、所定のキースイッチ（第１スイッチ）を動作させるためにユーザが押下操作した（指を置いた）入力操作キー部材における位置に関する情報である。第２暗証情報１５０Ｂは、ユーザの押下操作時における癖を反映させることが可能な情報である。第２暗証情報１５０Ｂは、携帯電話機１におけるセキュリティーを向上させることができる情報である。
【００８４】
続けて、図１０により、携帯電話機１における動作例について説明する。図１０は、携帯電話機１における動作例を説明するためのフロー図である。
まず、ステップＳＴ１において、暗証情報生成部１２３は、ユーザによる所定の操作により、暗証情報を生成可能な暗証情報生成モードになる。
【００８５】
次いで、ステップＳＴ２において、暗証情報生成部１２３は、ユーザからの操作部１１１への入力を受けて、暗証情報を生成する。暗証情報生成部１２３は、ユーザにより押下された入力操作キー部材に対応するキースイッチ（第１スイッチ）の組み合わせに関する情報と、動作した順序に関する情報とにより第１暗証情報を生成する。また、暗証情報生成部１２３は、ユーザにより押下された入力操作キー部材に対応するキースイッチ（第１スイッチ）それぞれの動作に対応して動作した平面スイッチ（第２スイッチ）の情報により第２暗証情報を生成する。
暗証情報生成部１２３は、生成した第１暗証情報及び第２暗証情報をメモリ４４に記憶される暗証情報テーブル１５０に記憶する（更新する）。
【００８６】
続けて、ステップＳＴ３において、ユーザは、メニュー画面（不図示）を参照して、所定の機能（容認証）を選択する。
ステップＳＴ４において、認証部１２４は、表示部２１に暗証番号（情報）の入力を求める画像を表示させる。
これに対応して、ステップＳＴ５において、ユーザは、複数の入力操作キー部材を押下して、暗証番号を入力する。
【００８７】
続けて、ステップＳＴ６において、認証部１２４は、ユーザの押下操作に対応し、検出部１２１からのキースイッチ及び平面スイッチの動作情報を受信する。そして、認証部１２４は、受信したキースイッチ及び平面スイッチの動作情報と、メモリ（暗証情報記憶部）４４に記憶された暗証情報テーブル１５０に含まれる第１暗証情報１５０Ａ及び第２暗証情報１５０Ｂとに基づいて認証を行う。具体的には、認証部１２４は、入力情報（受信したキースイッチ及び平面スイッチの動作情報）と、メモリ４４に記憶される暗証情報テーブル１５０に含まれる暗証情報（第１暗証情報１５０Ａ及び第２暗証情報１５０Ｂ）とを比較する。そして、認証部１２４は、入力情報と暗証情報とが同じである場合には、所定の認証を行う。ここで、認証部１２４は、第２暗証情報１５０Ｂが完全に同じでなくても、入力情報と暗証情報とが同じであると判定するように設定してもよい。
【００８８】
そして、認証部１２４が入力情報と暗証情報とが同じであると判定した場合（ＳＴ６，ＹＥＳ）、認証部１２４は所定の機能を動作させることを認証して、処理は、ステップＳＴ７に進む。
また、認証部１２４が入力情報と暗証情報とが同じではないと判定した場合（ＳＴ６，ＮＯ）、認証部１２４は所定の機能を動作させることを認証せず、処理は、ステップＳＴ４に戻る。
【００８９】
続けて、ステップＳＴ７において、所定の動作部は、ユーザに選択された所定の機能を動作させる。
【００９０】
本実施形態によれば、一の入力操作キー部材を押下することで、キースイッチ（第１スイッチ）と、複数の平面スイッチ（第２スイッチ）における所定の平面スイッチ（第２スイッチ）とを動作させることが可能な携帯電話機１を提供することができる。
【００９１】
また、本実施形態によれば、携帯電話機１は、メタルドームスイッチである第１スイッチ（キースイッチ）を囲むようにキー基板５０に実装される第２スイッチを高さを必要としない平面スイッチとしたので、実装面積を小さくすることができる。また、平面スイッチはユーザにクリック感を与えない素子であるので、携帯電話機１は、第１スイッチ（メタルドーム）のクリック感を邪魔することなく、ユーザに通常の感覚で操作を行わせることができる。
【００９２】
また、本実施形態によれば、携帯電話機１は、入力操作キー部材の潜り込み防止部材（スタビライザー）を第２凸部として利用する。これにより、携帯電話機１は、新たな部材等を用いないので、省スペース化やコスト削減が可能である。
【００９３】
また、本実施形態によれば、携帯電話機１は、キースイッチ（第１スイッチ）の動作情報（入力情報）だけでなく、平面スイッチ（第２スイッチ）の動作情報（入力情報）も鑑みて所定の認証をするかを判定するので、セキュリティー性が向上される。
【００９４】
以上、好適な実施形態について説明したが、本発明は上述した実施形態に限定されることなく種々の形態で実施することができる。例えば、本実施形態において、携帯機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００９５】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが１つの筐体に配置され連結部を有さない型式（ストレートタイプ）でもよい。また、携帯電話機１は、開閉及び回転可能ないわゆる２軸ヒンジタイプであってもよい。
【００９６】
また、平面スイッチ（第２スイッチ）の構成及び形状は、上述に限定されない。例えば、図１１Ａ及び図１１Ｂに示すように、平面スイッチは、リング状の第１導電領域と、リング状の第１導電領域の内側に配置される円状の第２導電領域とにより構成されていてもよい。平面スイッチがこのような構成及び形状の場合においても、上述の場合と同様に、入力操作キー部材（押圧面、押下部）の押下操作時におけるずれや、組み込み時の交差ずれ等があっても第２凸部により好適に導通される。
【００９７】
また、図９にて、４つのスイッチが押下された場合における認証方法について説明したものの、押下されるスイッチはいくつでもかまわない。例えば、押下されるスイッチは１つでも構わない。
【符号の説明】
【００９８】
１                    携帯電話機
２                    操作部側筐体
３                    表示部側筐体
１４ｅ                支持部
４０Ｂ                キーフレーム
４０Ｃ                キーシート
１２１                検出部
１２２                制御部
１２３                暗証情報生成部
１２４                認証部
１２６                方向認識部
２０１〜２１５        入力操作キー部材
２０１ａ〜２１５ａ    押圧面
５０１〜５１５        キースイッチ（第１スイッチ）
５０１Ａ〜５１５Ｄ    平面スイッチ（第２スイッチ）
６０１〜６１５        第１凸部
６０１Ａ〜６１５Ｄ    第２凸部
【図１】
2011134073.tif 000003
【図２】
2011134073.tif 000004
【図３】
2011134073.tif 000005
【図４】
2011134073.tif 000006
【図５】
2011134073.tif 000007
【図６Ａ】
2011134073.tif 000008
【図６Ｂ】
2011134073.tif 000009
【図６Ｃ】
2011134073.tif 000010
【図７Ａ】
2011134073.tif 000011
【図７Ｂ】
2011134073.tif 000012
【図８】
2011134073.tif 000013
【図９】
2011134073.tif 000014
【図１０】
2011134073.tif 000015
【図１１Ａ】
2011134073.tif 000016
【図１１Ｂ】
2011134073.tif 000017